(57)【要約】【課題】  過剰な引っ張り荷重が加わっても、務歯列同士の外れが防止されるとともに、縫い代が伸縮しないスライドファスナー及びスライドファスナー付き靴を得る。【解決手段】  開閉される一対の務歯列のそれぞれがテープ１３，１３に支持されたスライドファスナー１００であって、テープ１３は、幅方向が、務歯列を支持する務歯取付部Ａと、被着体に縫い付けられる縫着部Ｃと、務歯取付部Ａと縫着部Ｃとの間に介在する伸縮部Ｂとからなり、務歯取付部Ａ、伸縮部Ｂ及び縫着部Ｃに亘って伸縮性を有する緯糸１５が設けられ、務歯取付部Ａ及び縫着部Ｃには非伸縮性の経糸１５が所定間隔ｄで織り込まれ、伸縮部Ｂには所定間隔ｄより大きな間隔Ｄで経糸１７が設けられ、かつ伸縮部Ｂにおけるそれぞれの経糸１７には一対の規制糸１９，１９が緯糸１５と共に絡められる。【選択図】      図１
2006116139.tif 000002
【特許請求の範囲】
【請求項１】
開閉される一対の務歯列のそれぞれがテープに支持されたスライドファスナーであって、
前記テープは、幅方向が、前記務歯列を支持する務歯取付部と、被着体に縫い付けられる縫着部と、前記務歯取付部と該縫着部との間に介在する伸縮部とからなり、
前記務歯取付部、前記伸縮部及び前記縫着部に亘って伸縮性を有する緯糸が設けられ、
前記務歯取付部及び前記縫着部には非伸縮性の経糸が所定間隔で織り込まれ、
前記伸縮部には前記所定間隔より大きな間隔で前記経糸が設けられ、かつ該伸縮部におけるそれぞれの該経糸には一対の規制糸が前記緯糸と共に絡められたことを特徴とするスライドファスナー。
【請求項２】
脱ぎ履き開口部に一端を臨ませてスリットが設けられ、該スリットに請求項１記載のスライドファスナーが縫い付けられたスライドファスナー付き靴であって、
それぞれの前記テープの縫着部が前記被着体であるスリット縁部に靴内側から縫い付けられ、
前記務歯取付部と前記スリット縁部との間には前記伸縮部のみが靴外側に表出されたことを特徴とするスライドファスナー付き靴。
【発明の詳細な説明】
【技術分野】
【０００１】
本発明は、務歯列を支持するテープが幅方向に伸縮可能なスライドファスナー及びスライドファスナー付き靴に関し、特にブーツや長靴、地下足袋等に用いて好適なものである。
【背景技術】
【０００２】
スライドファスナーは、一対の平行な務歯列のそれぞれをテープに設け、これらの務歯列同士を係合・係合解除して、対向する縁部等を簡便に着脱開閉できることから、種々の被着体に取り付けられる。例えば被着体の一つであるロングブーツでは、足を容易に出し入れできるように、脱ぎ履き開口部に臨む上下方向となる縁部分のスリットに、スライドファスナーが取り付けられている。ところが、足の太さには個人差があるため、係合状態の務歯列同士に大きな引っ張り力が作用すると、務歯が途中で外れることがある。
【０００３】
そこで、従来より、テープに幅方向の伸縮性を持たせたスライドファスナー構造が提案されている。例えば下記特許文献１には、支持テープの長さ方向にウエールを形成した経メリヤステープにおいて、ファスナーエレメント取付部の区間に非弾性糸よりなる緯糸を、その他の区間に弾性糸よりなる緯糸をそれぞれ編み込み、その境界部の同一ウエール内の編み目に、両緯糸を経方向において交互に係合させると共に、両区間の組織密度、テープ厚さを同一にしたスライドファスナー用編物製支持テープが開示されている。
【０００４】
また、下記特許文献２には、ファスナーの基地テープ部の二条の両方又は一方の構造が、長手方向の全部又は一部が伸縮する素材からなるファスナーが開示されている。
【０００５】
さらに、下記特許文献３には、務歯列を含むスライドファスナー全体が少なくとも長さ方向に伸縮でき、その伸長が１０％又はそれ以上で、伸長時の務歯ピッチが噛合頭部の高さの２倍未満に留まる範囲に制御される伸縮性を有するスライドファスナーが開示されている。
【特許文献１】特公昭５３−２２４９９号公報
【特許文献２】特開昭６０−１２００４号公報
【特許文献３】特開昭６３−２９４８０４号公報
【発明の開示】
【発明が解決しようとする課題】
【０００６】
しかしながら、特許文献１に開示されるスライドファスナー用編物製支持テープは、糸がループ状に走る編み物であるため、経糸と緯糸を垂直に交差させる織物と異なり、長手方向にも伸縮性を有する。また、特許文献２，３に開示されるファスナーは、基地テープ部や、ファスナー全体が長手方向に伸縮する構成となっている。つまり、特許文献１，２，３に開示される従来の構成では、いずれの場合もテープが長手方向にも伸縮する。一般に、上記したようなロングブーツにスライドファスナーを取り付けるには、殆どの場合縫製されることが多く、その開口縁部分である縫着部分が長くなると、長手方向にテンションを加えながらの縫製作業となるため、スライドファスナーを真っ直ぐに縫着することが困難となり、完成品が、スライドファスナーに波打の生じた不良品となることが多かった。
【０００７】
本発明は上記状況に鑑みてなされたもので、過剰な引っ張り荷重が加わっても、務歯列同士の外れが防止されるとともに、縫い代が伸縮しないスライドファスナー及びスライドファスナー付き靴を提供し、もって、スライドファスナー及びスライドファスナー付き靴の信頼性向上、縫着性の向上を図ることを目的とする。
【課題を解決するための手段】
【０００８】
次に、上記の課題を解決するための手段を、実施の形態に対応する図面を参照して説明する。
本発明の請求項１記載のスライドファスナー１００は、開閉される一対の務歯列１１，１１のそれぞれがテープ１３，１３に支持されたスライドファスナー１００であって、
前記テープ１３は、幅方向が、前記務歯列１１，１１を支持する務歯取付部Ａと、被着体に縫い付けられる縫着部Ｃと、前記務歯取付部Ａと該縫着部Ｃとの間に介在する伸縮部Ｂとからなり、
前記務歯取付部Ａ、前記伸縮部Ｂ及び前記縫着部Ｃに亘って伸縮性を有する緯糸１５が設けられ、
前記務歯取付部Ａ及び前記縫着部Ｃには非伸縮性の経糸１７が所定間隔ｄで織り込まれ、
前記伸縮部Ｂには前記所定間隔ｄより大きな間隔Ｄで前記経糸１７が設けられ、かつ該伸縮部Ｂにおけるそれぞれの該経糸１７には一対の規制糸１９，１９が前記緯糸１５と共に絡められたことを特徴とする。
【０００９】
このスライドファスナー１００では、務歯取付部Ａ、伸縮部Ｂ及び縫着部Ｃに亘って伸縮性を有する緯糸１５が設けられるが、務歯取付部Ａ及び縫着部Ｃに非伸縮性の経糸１７が所定間隔ｄで密に織り込まれることで、当該務歯取付部Ａ及び縫着部Ｃでは、緯糸１５の伸びが密に織り込まれた経糸１７との摩擦によって規制されて伸縮が阻止される。したがって、経糸１７が元々非伸縮性であるので、務歯取付部Ａ及び縫着部Ｃは、経緯とも伸縮しなくなる。一方、伸縮部Ｂには所定間隔ｄより大きな間隔Ｄで疎に経糸１７が設けられていることで、緯糸１５の伸縮が規制されず、伸縮部Ｂはテープ幅方向に伸縮可能となる。さらに、伸縮部Ｂにおけるそれぞれの経糸１７に一対の規制糸１９，１９が緯糸１５と共に絡められることで、緯糸１５に、伸びすぎないように一定の規制がかけられるとともに、経糸１７のテープ幅方向のずれが阻止され、しかも、疎に織り込まれた伸縮部Ｂの透けも抑止される。
【００１０】
請求項２記載のスライドファスナー付き靴２００は、脱ぎ履き開口部３１に一端３３ａを臨ませてスリット３３が設けられ、該スリット３３に請求項１記載のスライドファスナー１００が縫い付けられたスライドファスナー付き靴２００であって、
それぞれの前記テープ３１，３１の縫着部Ｃ，Ｃが前記被着体であるスリット縁部３３ａに靴内側から縫い付けられ、
前記務歯取付部Ａと前記スリット縁部３３ａとの間には前記伸縮部Ｂのみが靴外側に表出されたことを特徴とする。
【００１１】
このスライドファスナー付き靴２００では、例えばブーツの場合、脱ぎ履き開口部３１の拡縮に応じてテープ１３の伸縮部Ｂがテープ幅方向に伸縮可能となる。また、スリット縁部３３ｂに縫い付けられる縫着部Ｃが伸縮せず、波打の生じない容易な縫着作業が可能となる。さらに、務歯取付部Ａとスリット縁部３３ｂとの間に伸縮部Ｂのみが表出されることで、スライドファスナー１００の表出面積が少なくなる。
【発明の効果】
【００１２】
本発明に係る請求項１記載のスライドファスナーによれば、務歯取付部、伸縮部及び縫着部に亘って伸縮性を有する緯糸が設けられ、務歯取付部及び縫着部には非伸縮性の経糸が所定間隔で織り込まれ、伸縮部には所定間隔より大きな間隔で経糸が設けられているので、経糸を疎に織り込んだ伸縮部によってテープが幅方向に伸縮可能となり、スライドファスナーが閉じられた状態で、過剰な引っ張り荷重が加わっても、伸縮部が伸び、務歯列同士の外れを防止できる。また、務歯取付部が伸縮しないので、これによっても務歯列同士の外れを防止できる。そして、縫い代となる縫着部が伸縮しないので、波打が生じず、容易な縫い付け作業を可能にできる。さらに、伸縮部におけるそれぞれの経糸には一対の規制糸が緯糸と共に絡められているので、緯糸の伸縮を妨げずに、かつ伸びすぎないように一定の規制をかけることができ、しかも、経糸のテープ幅方向のずれを阻止しながら、疎に織り込まれた伸縮部の透けを抑止できる。
【００１３】
請求項２記載のスライドファスナー付き靴によれば、テープ幅方向に伸縮可能となった伸縮部を有するスライドファスナーを縫着したので、例えばスライドファスナーの部分が比較的長いロングブーツの場合には、異なる太さの足に対応させてスライドファスナーの開閉を可能にすることができる。また、テープの縫着部がスリット縁部に靴内側から縫い付けられ、務歯取付部とスリット縁部との間には伸縮部のみが靴外側に表出されるので、伸縮しない縫着部を容易にスリット縁部に縫い付けることができ、しかも、この縫着部が隠れ、伸縮部のみが表出するので、余計なテープ部分が表に現れず、スライドファスナーの表出面積を少なくして、意匠性を向上させることができる。
【発明を実施するための最良の形態】
【００１４】
以下、本発明に係るスライドファスナー及びスライドファスナー付き靴の好適な実施の形態を図面を参照して詳細に説明する。
図１は本発明に係るスライドファスナーの要部平面図、図２は本発明に係るスライドファスナーの長手方向に直交する方向の断面図である。
本実施の形態によるスライドファスナー１００は、開閉される一対のファスナーエレメント（務歯）列１１，１１（図２参照）のそれぞれがテープ１３，１３に支持されてなる。
【００１５】
テープ１３は、幅方向（図１の左右方向）が、務歯列１１を支持する務歯取付部Ａと、被着体（後述する例えばブーツ）に縫い付けられる縫着部Ｃと、務歯取付部Ａと縫着部Ｃとの間に介在する伸縮部Ｂとからなる。これら務歯取付部Ａ、伸縮部Ｂ及び縫着部Ｃは、務歯列１１の長手方向（図１の上下方向）に延在する。
【００１６】
このテープ１３には、務歯取付部Ａ、伸縮部Ｂ及び縫着部Ｃに亘って伸縮性を有する同一の緯糸１５が設けられている。緯糸１５としては、例えばソロテック（株）製のソロフレックス（商品名）（ポリトリメチレンテレフタレート繊維のサイド・バイ・サイドコンジュゲート  ヤーン）を用いることができる。
【００１７】
テープ１３の務歯取付部Ａ及び縫着部Ｃには非伸縮性の経糸１７がテープ１３の幅方向に所定間隔ｄで織り込まれている。この経糸１７としては、例えばポリエステルを用いることができる。経糸１７は、緯糸１５に垂直な方向で、緯糸１５の一本或いは二本ごとに、テープ１３の表裏側となって織り込まれている。つまり、テープ１３は、糸がループ状に走る編み物と異なる織物としての構造を有している。そして、テープ１３，１３は、この非伸縮性の経糸１７が務歯列１１，１１に沿って延在することで、長手方向には伸縮しないようになっている。
【００１８】
テープ１３の伸縮部Ｂには、務歯取付部Ａ及び縫着部Ｃにおける経糸１７同士の所定間隔ｄより大きな間隔Ｄで、経糸１７が設けられている。つまり、伸縮部Ｂは、経糸１７が密に織り込まれた務歯取付部Ａ及び縫着部Ｃより、経糸１７が疎に織り込まれている。
【００１９】
また、この伸縮部Ｂにおけるそれぞれの経糸１７には一対の規制糸１９が緯糸１５と共に絡められて織り込まれている。この規制糸１９としては、例えば伸縮性を有するテトロンウーリー（嵩高加工糸）を用いることができる。規制糸１９は、緯糸１５のテープ表面側で交差した経糸１７に対し、緯糸１５のテープ裏面側に掛けられて絡められる。これにより、緯糸１５と経糸１７とは交差部が規制糸１９によって適宜締め付けられることとなる。
【００２０】
務歯列１１，１１は、テープ１３，１３の務歯取付部Ａに取り付けられる。務歯列１１は、本実施の形態では合成樹脂製のコイルエレメントからなり、そのコイル内には芯紐条２１が配置される。また、務歯列１１，１１の縫着糸は、少なくとも下糸２３，２３がポリエステルの嵩高加工糸とされる。
【００２１】
このスライドファスナー１００では、務歯取付部Ａ、伸縮部Ｂ及び縫着部Ｃに亘って伸縮性を有する緯糸１５が設けられる。その一方で、務歯取付部Ａ及び縫着部Ｃには、非伸縮性の経糸１７が所定間隔で密に織り込まれている。これにより、務歯取付部Ａ及び縫着部Ｃでは、緯糸１５の伸びが、密に織り込まれた経糸１７との摩擦によって規制されてテープ幅方向の伸縮が阻止されている。これに対し、伸縮部Ｂでは経糸１７が大きな間隔Ｄで疎に織り込まれているので、本来の緯糸１５の伸縮性が、経糸１７，１７同士の間で発揮され、伸縮部Ｂがテープ幅方向に伸縮可能となっている。
【００２２】
したがって、経糸１７が元々非伸縮性であるので、務歯取付部Ａ及び縫着部Ｃは、経緯とも伸縮しなくなる。一方、伸縮部Ｂは所定間隔ｄより大きな間隔Ｄで疎に経糸１７が設けられていることで、緯糸１５の伸縮が規制されず、伸縮部Ｂはテープ幅方向に伸縮可能となる。さらに、伸縮部Ｂにおけるそれぞれの経糸１７に一対の規制糸１９が緯糸１５と共に絡められることで、緯糸１５に、伸びすぎないように一定の規制がかけられるとともに、経糸１７のテープ幅方向のずれが阻止されている。また、一対の規制糸１９が経糸１７ごとに絡められることで、疎に織り込まれた伸縮部Ｂの透けも抑止されるようになっている。
【００２３】
このように、本実施の形態によるスライドファスナー１００によれば、務歯取付部Ａ、伸縮部Ｂ及び縫着部Ｃに亘って伸縮性を有する緯糸１５が設けられ、務歯取付部Ａ及び縫着部Ｃには非伸縮性の経糸１７が所定間隔ｄで織り込まれ、伸縮部Ｂには所定間隔ｄより大きな間隔Ｄで経糸１７が設けられているので、経糸１７を疎に織り込んだ伸縮部Ｂによってテープ１３，１３が幅方向に伸縮可能となり、スライドファスナー１００が閉じられた状態で、過剰な引っ張り荷重が加わっても、伸縮部Ｂが伸び、務歯列同士の外れを防止できる。また、務歯取付部Ａが伸縮しないので、これによっても務歯列同士の外れを防止できる。
【００２４】
そして、縫い代となる縫着部Ｃが伸縮しないので、波打が生じず、容易な縫い付け作業を可能にできる。さらに、伸縮部Ｂにおけるそれぞれの経糸１７には一対の規制糸１９が緯糸１５と共に絡められているので、緯糸１５の伸縮を妨げずに、かつ伸びすぎないように一定の規制をかけることができ、しかも、経糸１７のテープ幅方向のずれを阻止しながら、疎に織り込まれた伸縮部Ｂの透けを抑止できる。
【００２５】
次に、上記のスライドファスナーを取り付けた本発明に係るスライドファスナー付き靴を説明する。
図３は本発明に係るスライドファスナー付き靴の分解側面図、図４は本発明に係るスライドファスナー付き靴の外観図である。
スライドファスナー付き靴である例えばブーツ２００は、上部の脱ぎ履き開口部３１に一端３３ａを臨ませてスリット３３が設けられる。このスリット３３には、上記のスライドファスナー１００が縫い付けられる。
【００２６】
スライドファスナー１００は、それぞれのテープ１３，１３の上記した縫着部Ｃ，Ｃが被着体であるスリット縁部３３ｂに靴内側から縫い付けられ。縫着部Ｃは、接着剤が塗布されてスリット縁部３３ｂに予め接着された後、縫い付けられる。スライドファスナー１００は、務歯取付部Ａとスリット縁部３３ｂとの間に、伸縮部Ｂのみが靴外側に表出されるようにしてテープ１３，１３が縫着される。
【００２７】
このブーツ２００では、脱ぎ履き開口部３１や立ち上がり部３５の拡縮に応じてテープ１３，１３の伸縮部Ｂ，Ｂがテープ幅方向に伸縮可能となる。また、スリット縁部３３ｂに縫い付けられる縫着部Ｃが伸縮せず、波打の生じない容易な縫着作業が可能となる。さらに、務歯取付部Ａとスリット縁部３３ｂとの間に伸縮部Ｂのみが表出されることで、スライドファスナー１００の表出面積が少なくなる。
【００２８】
したがって、本実施の形態によるブーツ２００によれば、テープ幅方向に伸縮可能となった伸縮部Ｂを有するスライドファスナー１００を縫着したので、異なる太さの足に対応させてスライドファスナー１００の開閉を可能にすることができる。また、テープ１３，１３の縫着部Ｃがスリット縁部３３ｂに靴内側から縫い付けられ、務歯取付部Ａとスリット縁部３３ｂとの間には伸縮部Ｂのみが靴外側に表出されるので、伸縮しない縫着部Ｃを容易にスリット縁部３３ｂに縫い付けることができ、しかも、この縫着部Ｃが隠れ、伸縮部Ｂのみが表出するので、余計なテープ部分が表に現れず、スライドファスナー１００の表出面積を少なくして、意匠性を向上させることができる。
【図面の簡単な説明】
【００２９】
【図１】本発明に係るスライドファスナーの要部平面図である。
【図２】本発明に係るスライドファスナーの長手方向に直交する方向の断面図である。
【図３】本発明に係るスライドファスナー付き靴の分解側面図である。
【図４】本発明に係るスライドファスナー付き靴の外観図である。
【符号の説明】
【００３０】
１１…務歯列
１３…テープ
１５…緯糸
１７…経糸
１９…規制糸
３１…脱ぎ履き開口部
３３…スリット
３３ａ…一端
３３ｂ…スリット縁部（被着体）
１００…スライドファスナー
２００…スライドファスナー付き靴
Ａ…務歯取付部
Ｂ…伸縮部
Ｃ…縫着部
Ｄ…所定間隔より大きな間隔
ｄ…所定間隔
【図１】
2006116139.tif 000003
【図２】
2006116139.tif 000004
【図３】
2006116139.tif 000005
【図４】
2006116139.tif 000006